(57)【特許請求の範囲】
【請求項１】
自動火災報知設備に接続した信号装置に接続される複数の誘導灯を備える誘導灯システムにおいて、
前記複数の誘導灯の各誘導灯は、
前記信号装置から引き出された信号線が接続される端子台と、他の誘導灯から引き出された信号線が接続される端子台とを有し、
それぞれの前記端子台は、
光源と、
接続された前記信号線の信号電圧が予め設定された適正電圧である場合には、前記光源を、所定の発光状態に制御する制御部と
を有し、
前記光源は、
前記誘導灯を被取付部に取り付けた状態において、前記発光状態が前記誘導灯の外部から視認できるように前記誘導灯に配置されていることを特徴とする誘導灯システム。
【請求項２】
各誘導灯は、
光を透過する誘導表示パネルを有し、
前記光源は、
発した光が前記誘導表示パネルを透過することで、前記発光状態が前記誘導灯の外部から視認できることを特徴とする請求項１記載の誘導灯システム。
【発明の詳細な説明】
【技術分野】
【０００１】
この発明は、複数の信号用端子台からなる信号用端子台ユニット、及びこの信号用端子台ユニットを備えた誘導灯に関する。
【背景技術】
【０００２】
従来技術として、信号装置の信号線接続表示に関する技術がある。特許文献１は、誘導灯ではないが、誘導灯に使用する信号装置において、火災信号の受信の有無、報知信号の送信の有無を表示する表示手段を備えている。また、特許文献２は、誘導灯ではないが、誘導灯に使用する信号装置において、手動あるいはコンピュータ出力状態によって発光色を変えて表示する。
【先行技術文献】
【特許文献】
【０００３】
【特許文献１】特開２００８−２０９９７２号
【特許文献２】特開平１０−１７７８９７号
【発明の概要】
【発明が解決しようとする課題】
【０００４】
現在では、活性形誘導灯（点滅形、誘導音付加点滅形）に接続される信号装置の信号線および誘導灯の連動線または煙感知器が繋がれているかの確認は、実際に動作させるか、テスタ等の計測器を使用しなければ分からないという課題があった。
【０００５】
本発明は、テスタ等の計測器を使用しなくても信号線の適正な接続が視覚的に確認できる信号用端子台の提供を目的とする。
【課題を解決するための手段】
【０００６】
この発明の信号用端子台ユニットは、
他の装置と接続するための複数の種類の信号線ごとに、信号用端子台を備え、
それぞれの前記信号用端子台は、
光を発する光源と、
前記信号線が接続される接続部と、
前記接続部に接続された前記信号線の信号電圧が予め設定された適正電圧である場合には、前記光源を、所定の発光状態に制御する接続表示部と
を備えたことを特徴とする。
【発明の効果】
【０００７】
本発明によれば、事前に配線確認を行うことができるので、誤配線によるトラブルの解消によって施工時の時間短縮を図ることができる。
【図面の簡単な説明】
【０００８】
【図１】実施の形態１の誘導灯システムを示す図。
【図２】実施の形態１の信号用端子台ユニット１００を示す図。
【図３】実施の形態１の誘導灯１０００におけるＬＥＤ配置を示す図。
【図４】実施の形態１の誘導灯１０００におけるＬＥＤ配置を示す図。
【図５】実施の形態１の誘導灯１０００におけるＬＥＤ配置を示す図。
【図６】実施の形態１の誘導灯１０００におけるＬＥＤ配置を示す図。
【図７】実施の形態１の誘導灯１０００におけるＬＥＤ１１、２１、３１、４１の表示例を示す表。
【発明を実施するための形態】
【０００９】
実施の形態１．
図１〜図６を参照して、実施の形態１の誘導灯１０００を説明する。誘導灯１０００は、後述の信号用端子台ユニット１００を備えた点が特徴である。以下の実施の形態１で説明する誘導灯１０００は、点滅機能、音声発生機能、あるいは点滅機能と音声発生機能とを有する、活性形誘導灯である。活性形誘導灯である誘導灯１０００は、信号装置から送信される点滅信号の信号線をはじめとする複数種類の信号線が接続される。信号用端子台ユニット１００は、信号線ごとに信号用端子台を備えている。各信号用端子台は、接続された信号線の信号電圧が、予め設定された適正電圧である場合には、保有する光源（ＬＥＤ）を、所定の発光状態（不点灯を含む）に制御する。このように誘導灯１０００は複数の信号用端子台からなる信号用端子台ユニット１００を備えたので、それぞれの信号線が接続されるべき信号線用端子台に適正に接続されているかどうかを、テスタ等の計測器を使用することなく、目視で簡単に確認できる。
【００１０】
図１は、ビルに設置される誘導灯システムの構成を示す図である。誘導灯システムは、複数の誘導灯１０００と、自動火災報知設備２０００と、信号装置３０００とを備えている。図１では、３階〜５階の誘導灯１０００を示した。各誘導灯１０００には、煙感知器が接続されている。
【００１１】
信号装置３０００には、自動火災報知設備２０００が接続している。また、信号装置３０００には各誘導灯１０００が接続している。火災が発生した場合には、自動火災報知設備２０００が信号装置３０００に火災発生の信号を送信し、信号装置３０００は火災発生の信号を受信すると、各誘導灯１０００に点滅信号を送信する。すると、各誘導灯１０００は非常点滅用として保有するキセノンランプを点滅する。
【００１２】
４階（４Ｆ）の誘導灯１０００に着目すると、この誘導灯１０００は、煙感知器４０１からの信号線１４、３階（３Ｆ）の誘導灯１０００からの信号線２４、５階（５Ｆ）の誘導灯１０００への信号線３４、信号装置３０００からの点滅信号の信号線４４が接続する。ここで、信号線２４及び信号線３４は、連動停止用の信号線である。
【００１３】
図２は、４階の誘導灯１０００に内蔵される信号用端子台ユニット１００を示す図である。この信号用端子台ユニット１００は、他の装置（煙感知器４０１、信号装置３０００、３階の誘導灯１０００、５階の誘導灯１０００等）と接続するための複数の種類の信号線ごとに、信号用端子台を備えている。
信号用端子台１０は、煙感知器４０１用の信号線１４ａ，１４ｂと接続し、信号用端子台２０は、３階の誘導灯１０００用の信号線２４ａ，２４ｂと接続し、信号用端子台３０は、５階の誘導灯１０００用の信号線３４ａ，３４ｂと接続し、信号用端子台４０は、信号装置３０００用の信号線と４４ａ，４４ｂ接続する。
【００１４】
図２の信号用端子台１０に着目すると、信号用端子台１０は、ＬＥＤ１１（表示用光源）と、接続表示部１２と、信号線１４ａ、１４ｂが接続される接続部１３ａ、１３ｂとを備える。接続表示部１２は、接続部１３ａ、１３ｂに接続された信号線１４ａ、１４ｂの信号電圧が、予め設定された適正電圧である場合には、ＬＥＤ１１を、所定の発光状態に制御する。なお、「所定の発光状態」は、ＬＥＤ１１を発光させない「不点灯」の場合もある。どのような発光状態とするかは、実装による。他の信号用端子台２０〜４０も信号用端子台１０と同じ構成である。
【００１５】
図３〜図６は、ＬＥＤ１１〜ＬＥＤ４１の配置位置のバリエーションを示す図である。
図３は、ＬＥＤ１１〜ＬＥＤ４１を、誘導灯内部に配置する場合の外観図である。
図４は、ＬＥＤ１１〜ＬＥＤ４１を、誘導灯の下面側に配置する場合の外観図である。  図５は、ＬＥＤ１１〜ＬＥＤ４１を、表示面と同じ面の下部に配置した外観図である。
図６は、ＬＥＤ１１〜ＬＥＤ４１を、表示面と同じ面の左側に配置した外観図である。
【００１６】
なお、図２では、信号用端子台ユニット１００は、煙感知器用の信号用端子台１０、上下階連動信号用の信号用端子台２０，３０、及び点滅信号用の信号用端子台４０を備えたが、さらに、誘導灯１０００が誘導音の発生機能を有する場合には、誘導音の発生を指示する誘導音信号（信号装置３０００が送信）の信号用端子台を備える。
【００１７】
図７は、誘導灯１０００における各信号用端子台ユニットの表示例を示す図である。図７を説明する。図７は、図２の誘導灯１０００の構成図に対応する。
（１）対象活性化誘導灯の列は、対象活性化誘導灯の有する機能を示している。例１は対象活性化誘導灯として２つのタイプを示している。例１の上段は、音声発生機能付及び「点滅機能＋音声発生機能付」の２タイプを示している。例１の下段は、点滅機能付の１タイプを示している。例２も同様である。なお例１と例２とは、信号用端子台における「○」、「×」のパターンが異なる。下記のように「○」、「×」は図２のＬＥＤの点灯、消灯を示す。
（２）信号電圧の列は、信号電圧がＤＣ２４、ＡＣ１００Ｖの別を示している。
（３）信号線接続の列は、信号線が接続部１３ａ，１３ｂ〜４３ａ，４３ｂに接続されているかどうかを示す。例えば例１の上段において、信号線電圧２４Ｖ（有り）、信号線接続（無し）とは、信号線１４ａ，１４ｂ〜４４ａ，４４ｂに信号電圧２４Ｖが発生しているが、信号線１４ａ，１４ｂ〜４４ａ，４４ｂが接続部１３ａ，１３ｂ〜４３ａ，４３ｂに接続されていない状態を示す。そのときのＬＥＤ１１、２１、３１、４１の発光状態が「煙感知器」〜「点滅信号」の○×パターンに対応する。よってこの場合、ＬＥＤ１１〜４１は全て○（点灯）である。また、煙感知器動作とは、信号線が接続状態にあるとき、煙感知器からの煙検出の信号が信号用端子台１０に入力された場合を意味する。そのときのＬＥＤの発光状態が「煙感知器」〜「点滅信号」の○×パターンに対応する。例えば例１の上段では点滅信号の信号用端子台４０のＬＥＤ４１が点滅し、ＬＥＤ１１、２１、３１は消灯状態である。
（４）表示光源色の列は、ＬＥＤ１１〜４１の発光色を示す。図７では、信号電圧ＤＣ２４は緑色、信号電圧ＡＣ１００Ｖは橙色である。
（５）信号用端子台ユニットにおける信号用端子台の煙感知器、直下階、直上階、点滅信号とあるのは、それぞれ図２の信号用端子台１０〜４０に対応する。また、「信号用端子台」における「○」はその信号用端子台のＬＥＤの「点灯」を示し、「×」は消灯を示す。
【００１８】
以上のように、実施の形態１の信号用端子台ユニット１００は、複数の信号用端子台１０〜４０を備えたので、それぞれの信号線が接続されるべき信号線用端子台に適正に信号線が接続されているかどうかを、テスタ等の計測器を使用することなく、目視で簡単に確認できる。
図７は、その表示例を表１．としてまとめたものである。図７を説明する。
【符号の説明】
【００１９】
１０〜４０  信号用端子台、１１，２１，３１，４１  ＬＥＤ、１２，２２，３２，４２  接続表示部、１３，２３，３３，４３  接続部、１４，２４，３４，４４  信号線、３０１，４０１，５０１  煙感知器、１００  信号用端子台ユニット、１０００  誘導灯、２０００  自動火災報知設備、３０００  信号装置。
【図１】
0005449108.tif 000002
【図２】
0005449108.tif 000003
【図３】
0005449108.tif 000004
【図４】
0005449108.tif 000005
【図５】
0005449108.tif 000006
【図６】
0005449108.tif 000007
【図７】
0005449108.tif 000008